(57)【特許請求の範囲】
【請求項１】
全てのキーレバーに対応する長さを有し任意のキーレバーの操作によって作動するミュートレバーと、このミュートレバーの作動によって全ての弦を押圧するミュート本体とからなるミュート機構を備えたことを特徴とする大正琴。
【請求項２】
請求項１記載の大正琴において、
ミュート本体を弾性部材によって弾性支持したことを特徴とする大正琴。
【発明の詳細な説明】
【０００１】
【発明の属する技術分野】
本発明は、音色を向上させるようにした大正琴に関する。
【０００２】
【従来の技術】
大正琴は、全ての開放弦をＧ音に調律してあるため、ある任意のキーレバーを押鍵操作して弦を押し下げ、ピックにより弾いて所望の音階の音を発音させた後、弦をキーレバーから開放すると、開放弦となって音程が下がりＧ音が開放弦の音（スラー）として発音される。このスラーは楽曲によっては耳障りな雑音となるため、通常所望の音階の音が発音されている間に次のキーレバーを操作して別の音程の音を発音させることにより開放弦が生じないようにしている。
【０００３】
スラーを発生させないようにした大正琴としては、特開平９−２３０８５４号公報に開示された大正琴が提案されている。この大正琴は、演奏者から見て上駒に最も近い左端のキーレバーに近接してその左側に、ミュート鍵レバーとミュート本体とからなるミュート機構を配設し、ミュート鍵レバーによってミュート本体を全ての弦に押し付けることにより、開放弦をなくしスラーが発生しないようにしたものである。また、ミュート切替手段を備え、これによって弦をミュート機構から開放することにより、Ｇ音がスラーとして発音する従前の演奏と、スラーが発生しないミュート演奏を選択的に切り替えることができるようにしている。
【０００４】
【発明が解決しようとする課題】
上記したように従来の一般の大正琴は、通常の演奏においてキーレバーの押鍵操作によって開放状態の弦を押し下げ、または前に押鍵したキーレバーを解放するときキーレバーが弦に当たり所望の音階の音を発音させる前に弦が振動するため、演奏音の前に雑音が入ってしまうという問題があった。
一方、上記した特開平９−２３０８５４号公報に開示された大正琴においては、ミュート機構によって上駒に近い弦部分を押圧しているので、振動を起こさず、演奏音に悪影響を及ぼすことがないという利点がある。また、ミュート機構とミュート切替手段を備えることにより、Ｇ音がスラーとして発音する従前の演奏と、スラーが発生しないミュート演奏を選択的に行うことができるという利点がある。しかし、ミュート（半鳴り状態）せず開放弦の音を発音させる従来の演奏を行う場合は、ミュート切替手段によってミュート機構を不動作状態に切り替える操作が必要であった。
【０００５】
本発明は、上記した従来の問題および要請に応えるべくなされたもので、その目的とするところは、通常の演奏操作において、弦をキーレバーで押さえまたは解放したときに振動を起こさず、雑音を除去した大正琴を提供することにある。
【０００６】
上記目的を達成するために第１の発明は、全てのキーレバーに対応する長さを有し任意のキーレバーの操作によって作動するミュートレバーと、このミュートレバーの作動によって全ての弦を押圧するミュート本体とからなるミュート機構を備えたものである。
【０００７】
第２の発明は上記第１の発明において、ミュート本体を弾性部材によって弾性支持したものである。
【０００８】
本発明において、ミュート機構はキーレバーの操作時のみ弦に対して機能する。すなわち、任意のキーレバーを押鍵操作するとミュートレバーが作動してミュート本体を全ての弦に押し付け、当該キーレバーが復帰するとミュートレバーも復帰してミュート本体を弦から離間させる。したがって、通常の演奏においてキーレバーを押鍵操作したとき、弦はミュート本体によって押圧されるため、キーレバーが当たっても振動を起こさない。押鍵操作したキーレバーから指を離すときも、通常次のキーレバーを押しながら離すのでミュートレバーが既に作動しており、雑音は起こらない。この状態において、既に他のキーレバーが操作されると、ミュート本体が再び弦を押圧するため、雑音は消音される。ミュート本体は弾性部材によって弾性支持されているので、弦に当たってある程度の力で押圧すると、それ以上には弦を押圧することがない。弾性部材としては、板ばね等が用いられる。
【０００９】
【発明の実施の形態】
【００１０】
以下、本発明を図面に示す実施の形態に基づいて詳細に説明する。
図１は本発明に係る大正琴の一実施の形態を示す外観斜視図、図２は同大正琴の一部構成部材を省略するとともに一部を破断して示す概略平面図、図３はミュート機構を示すために天板を左右逆にして反転させた底面図、図４は押鍵開放時の図２のＡ−Ａ線断面図、図５は押鍵時の断面図である。
【００１１】
図１および図２において、大正琴１は、左右方向に長い箱型の共鳴胴２と、この共鳴胴２の上面に張設された複数本の弦３と、これらの弦３を押さえ音程を決める複数のキーレバー４と、これらのキーレバー４の基端部（後端部）を覆うとともに譜面台として用いられる天板５等を備えている。また、共鳴胴２の上面に設けられた、弦３の両端部を係止する下駒６、上駒７、複数のフレット８を有する指板９、各弦３の一端部が巻付けられる複数個の糸巻装置１０等を備えている。共鳴胴２の上面で下駒６と指板９との間には、共鳴孔１１が形成されている。
【００１２】
弦３は、下駒６と上駒７間の弦部分がＧ音の開放弦となるように調律されて下駒６と糸巻装置１０間に張設されており、キーレバー４によって押し下げられたとき、キーレバー４から下駒６間の弦部分が有効振動発音部となって所定の音階の音を発音する。
【００１３】
前記キーレバー４は、ステンレス等の薄い金属板によって形成され、隣り合うフレット８間に位置して弦３の上方に上下動自在にかつ前後２列に配設されている。また、キーレバー４は、基端部が前記共鳴胴２と天板５の間の空間に挿入され、支点部材１２によって上下方向に回動自在に枢支され、かつ復帰用ばね１５によって復帰方向（図４反時計方向）の回動習性が付与されている。そして、キーレバー４の前端部上面には、ボタン１３が設けられている。
【００１４】
前記支点部材１２は、全てのキーレバー４にわたって共通に延在する長さを有する金属製の細長い丸棒からなり、前記天板５の下面後方側に取付けた逆Ｌ字型のブラケット１４によって保持されている。また、このブラケット１４は、各キーレバー４に復帰方向の回動習性を付与する前記復帰用ばね１５の一端を係止している。
【００１５】
前記天板５は、前記共鳴胴２の背面に取付けたブラケット１６の上面に水平に固定されており、下面前方側にはレバー受部材１７が固定されている。このレバー受部材１７は、逆Ｌ字状に形成されることにより水平板部１７ａと垂直板部１７ｂとを有するとともに、全てのキーレバー４に対して共通に延在する長さを有し、水平板部１７ａが前記天板５に固定されている。一方、垂直板部１７ｂには、各キーレバー４の中間部が貫通する縦方向に長いスリット１８（図３）がキーレバー４の配列ピッチで複数個形成されている。
【００１６】
このような大正琴１は、従来の大正琴と全く同様であるが、本発明においてはさらに開放弦を押圧するミュート機構２１を備えている点で従来の大正琴と異なっている。
【００１７】
前記ミュート機構２１は、前記共鳴胴２と前記天板５との間の空間に配設され前記レバー受部材１７の下方に位置するミュートレバー２２と、弦３を押圧するミュート本体２３と、このミュート本体２３を弾性支持する板ばね２４等で構成されている。
【００１８】
前記ミュートレバー２２は、全てのキーレバー４に対して共通に延在する長さを有する細い金属棒からなり、前記レバー受部材１７の垂直板部１７ｂの下方前方側で、かつキーレバー４の下面と近接するように配設され、両端部にＬ字状に折り曲げられた折曲部２２ａを有している。この折曲部２２ａは、前記垂直板部１７ｂの裏面側に折り曲げられ、その先端部が垂直板部１７ｂの裏面に取付けた軸受部材２５の軸受孔によって回動自在に枢支されている。また、ミュートレバー２２は、引張りコイルばね２６によって中央部が上方に付勢されることにより図４において反時計方向の回動習性が付与されており、通常は前記垂直板部１７ｂの下面に圧接され、上方への回動を制限されている。さらに、ミュートレバー２２の周面には、キーレバー４が当たったときの衝撃および雑音を吸収するために図示しない皮革等の緩衝材が貼着されている。前記引張りコイルばね２６の上端は、前記天板５の下面に設けたフック２７に係止され、下端がミュートレバー２２に係止されている。前記軸受部材２５の水平板部２５ａの下面先端部には、前記キーレバー４の上方への回動を制限する上限ストッパ２９が固定されている。
【００１９】
前記ミュート本体２３は、弦３の上方でかつ奏者から見て左端のキーレバー４-1と上駒７間に位置するように配設されるもので、フェルト、ゴム、ウレタン等の軟質部材によって形成され、ブロック３０の下面に接着剤等によって固着されている。
【００２０】
前記板ばね２４は、弦３に対するミュート本体２３の押圧力を緩和し、一定圧（約５０ｇ）以上の大きな力で押圧しないようにミュート本体２３を弾性支持するもので、逆Ｌ字状に折り曲げ形成され、下端が前記ミュートレバー２２に固定され、上端には前記ブロック３０が取付部材３１を介して取付けられている。取付部材３１は、板ばね２４に固定され、ブロック３０はピン３３によって枢支されることにより前記取付部材３１に対して回動自在に取付けられている。
【００２１】
このような構造からなる大正琴１０において、演奏時にある任意のキーレバー４を押し下げ、これによって隣合うフレット８間の弦部分を押さえ込み、当該キーレバー４の右側に位置するフレット８と下駒６間の共鳴孔７上方の弦部分をピック（義甲）によって弾弦すると、その弦振動は共鳴胴２により拡大され所望の音階の音として発音される。そして、押鍵操作されたキーレバー４から指を離すと、当該キーレバー４は復帰用ばね１５の力により初期位置に回動復帰し弦３を開放する。
【００２２】
キーレバー４を押鍵操作すると、ミュート機構２１はこれに連動して作動する。すなわち、任意のキーレバー４を押鍵操作すると、当該キーレバー４の基端部寄り下面がミュートレバー２２を押圧するため、ミュートレバー２２は引張りコイルばね２６に抗して図５に示すように時計方向に回動し、ミュート本体２３を弦３の上駒７と第１フレット８-1（図２）との間の弦部分で、左端のキーレバー４-1よりも上駒７側の部分に押し付ける。そして、押鍵操作されたキーレバー４が復帰用ばね１５の力により初期位置に回動復帰すると、ミュートレバー２２はキーレバー４から解放されるため引張りコイルばね２６の力によって回動復帰し、ミュート本体２３を弦３から離間させる。通常、次の音階に対応するキーレバーを押鍵しながら前の音階に対応するキーレバーを離すために次のキーレバーを押鍵する際既にミュート効果はあり、前の音階に対応するキーレバーを離す、または次の音階に対応するキーレバーを押す際に発生する弦の振動を消す。
【００２３】
【発明の効果】
以上説明したように本発明に係る大正琴は、通常の演奏において、キーレバーを押鍵操作すると、これに連動してミュートレバーが回動しミュート本体を弦に押し付けるミュート機構を設けたので、弦の振動を防止することができる。したがって、大正琴の音色を向上させることができる。
また、本発明はミュート本体を板ばね、線ばね等の弾性部材によって弾性支持しているので、ミュート本体を過度な力で弦に押し付けることがなく、弦の断線を防止することができる。
【図面の簡単な説明】
【図１】  本発明に係る大正琴の一実施の形態を示す外観斜視図である。
【図２】  同大正琴の一部構成部材を省略するとともに一部を破断して示す概略平面図である。
【図３】  ミュート機構を示すために天板を左右逆にして反転させた底面図である。
【図４】  押鍵開放時の図２のＡ−Ａ線断面図である。
【図５】  押鍵時の断面図である。
【符号の説明】
１…大正琴、２…共鳴胴、３…弦、３…指板、４…キーレバー、５…天板、６…下駒、７…上駒、８…フレット、９…指板、２１…ミュート機構、２２…ミュートレバー、２３…ミュート本体、２４…板ばね。
【図１】
0004253988.tif 000002
【図２】
0004253988.tif 000003
【図３】
0004253988.tif 000004
【図４】
0004253988.tif 000005
【図５】
0004253988.tif 000006